【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
構造内の知的ネットワーク接続サーモスタットを介して需要応答事象を実行するための方法であって、
前記サーモスタットのためのＨＶＡＣスケジュールに従う特徴化期間にわたって前記構造に特徴付けられた冷房システムの動作を制御するステップと、
特徴化期間にわたって、需要応答事象への参加についての前記構造の適性を少なくとも部分的に決定づける前記構造に関連付けられた複数の物理的パラメータを判定するための情報を受け取るステップとを備え、前記複数の物理的パラメータは、
前記冷房システムによって冷房される前記構造の容積に対する前記冷房システムの冷房容量と、
前記構造の熱保持特性とを含み、方法はさらに、
需要応答負荷移行に対するユーザーの従順性を特徴付ける少なくとも１つのユーザー入力を受け取るステップと、
前記需要応答事象によって定義される需要応答事象間隔についての通知を受け取るステップと、
前記需要応答間隔の継続期間にわたる前記構造の位置における予測された温度を示す天気予報を受け取るステップと、
前記需要応答間隔にわたる在室可能性プロフィールを判定するステップと、
前記ＨＶＡＣスケジュール、前記冷房システムの前記冷房容量、前記熱保持特性、前記需要応答負荷移行に対するユーザーの従順性、前記天気予報、および前記在室可能性プロフィールから引き出される情報を合わせて処理し、（ａ）前記構造が前記需要応答事象への参加の資格を有するかどうかを判定する、および（ｂ）前記構造が参加する資格を有する場合に前記需要応答事象への参加に関連付けられた需要応答事象実施プロフィールを判定するステップと、
前記構造が前記需要応答事象へ参加する資格を有すると判定された場合、前記需要応答事象間隔において前記需要応答事象実施プロフィールに従って前記冷房システムを制御するステップとを備える、方法。
【請求項２】
前記ＨＶＡＣスケジュールに従って冷房システムの動作を制御するステップ、前記ユーザーの従順性を特徴付ける少なくとも１つのユーザー入力を受け取るステップ、前記需要応答事象間隔を受け取るステップ、前記天気予報を受け取るステップ、前記情報を合わせて処理するステップ、前記需要応答事象実施プロフィールに従って冷房システムを制御するステップは、前記知的ネットワーク接続サーモスタットによって実行される、請求項１に記載の方法。
【請求項３】
前記需要応答事象実施プロフィールは、直接負荷制御プロフィール、事前冷房プロフィール、温度セットバックプロフィール、および温度スナップバックプロフィールのうちの１つ以上を含む、請求項１または２に記載の方法。
【請求項４】
前記需要応答事象実施プロフィールは、前記需要応答間隔の継続期間にわたる前記構造の位置における前記予測された温度が軽度から中程度であり、前記構造の前記熱保持特性が、前記構造が中程度から良好な封止であることを示す場合に前記事前冷房プロフィールを含む、請求項３に記載の方法。
【請求項５】
前記需要応答事象実施プロフィールは、前記需要応答間隔の継続期間にわたる前記構造の位置における前記予測された温度が軽度から中程度であり、前記構造の容積に対する前記冷房システムの前記冷房容量が中程度から過大であり、前記構造の前記熱保持特性が、前記構造が中程度から良好な封止であることを示し、前記天気予報が、前記需要応答間隔の前記継続期間にわたる前記構造の前記位置における予測された湿度が低程度から中程度であることを示した場合、前記温度セットバックプロフィールを含む、請求項３に記載の方法。
【請求項６】
前記需要応答事象実施プロフィールは、前記需要応答間隔の前記継続期間にわたる前記構造の前記位置における前記予測された温度が高い、冷房される前記構造の容積に対する前記冷房システムの冷房容量が過小である、または天気予報が、前記需要応答間隔の前記継続期間にわたる前記構造の位置における予測された湿度が高いと示した場合、前記直接負荷制御プロフィールを含む、請求項３に記載の方法。
【請求項７】
前記需要応答事象実施プロフィールは、前記需要応答事象間隔の直後の事象後間隔において前記構造にサービスを提供する電気グリッドへのエネルギー負荷の予測された合計もしくは実際の合計が過剰であり得ることを前記需要応答事象の前記通知が示す場合、前記温度スナップバックプロフィールを含む、請求項３に記載の方法。
【請求項８】
需要応答負荷移行に対する前記ユーザーの従順性を特徴付ける前記少なくとも１つのユーザー入力は、一端における最大負荷移行設定から他端の最大快適設定にわたるユーザーインターフェイススライダーツールに沿ったユーザーによる操作点の選択の形態で前記知的ネットワーク接続サーモスタットと関連付けられたユーザーインターフェイスにおいて受け取られる、請求項１から７のいずれか１項に記載の方法。
【請求項９】
方法はさらに、
前記知的ネットワーク接続サーモスタットに関連付けられたユーザーインターフェイスにおいて、前記需要応答事象実施プロフィールによって示される現在稼働中の設定温度から逸脱するというユーザー選択を示す前記需要応答事象間隔における少なくとも１つのユーザー入力を受けるステップと、
前記逸脱する選択が実施された場合に起こり得る実現された負荷移行の予測された変化を演算するステップと、
前記ユーザーインターフェイスにおいて、実現された負荷移行の前記予測された変化に関連付けられた情報を前記ユーザーに表示するステップと、
前記ユーザーインターフェイスにおいて、逸脱するという前記ユーザー選択についての前記ユーザーからの確認を要求するステップと、
前記ユーザーインターフェイスにおいて前記ユーザーから肯定的な確認を受け取り、逸脱するという前記ユーザー選択に従って動作する、請求項１から８のいずれか１項に記載の方法。
【請求項１０】
前記実現された負荷移行の予測された変化に関連付けられた情報を表示するステップは、需要応答参加利益に関連する無資格状態を示す警告情報を表示することを含む、請求項９に記載の方法。
【請求項１１】
構造に対応付けられたエネルギー消費者を需要応答事象に参加するよう促すための方法であって、
１つ以上のコンピュータプロセッサが、複数の設定温度を示す事前に存在するＨＶＡＣスケジュールにアクセスするステップを備え、前記事前に存在するＨＶＡＣスケジュールは、前記設定温度に従って前記構造に関連付けられたＨＶＡＣシステムの制御を容易にするよう動作し、方法はさらに、
１つ以上のコンピュータプロセッサが、前記需要応答事象によって定義された需要応答事象期間に関連付けられた需要応答実施プロフィールを判定するステップを備え、前記需要応答実施プロフィールは、前記需要応答事象期間にわたって前記事前に存在するＨＶＡＣスケジュールによって示される前記設定温度への１つ以上の変更を組み込む変更されたＨＶＡＣスケジュールを含み、方法はさらに、
１つ以上のコンピュータプロセッサが、１つの時間間隔から他の時間間隔へのエネルギー消費の移行の支持に対する前記構造の有効性を少なくとも部分的に決定づける前記構造に関連付けられた少なくとも１つの物理的パラメータを判定するステップと、
１つ以上のコンピュータが、前記事前に存在するＨＶＡＣスケジュール、前記需要応答実施プロフィール、および前記構造に関連付けられた前記少なくとも１つ以上の物理的パラメータに基づいて前記需要応答事象期間から他の期間へ移行される可能性の高いエネルギーの量を示す１つ以上の指標を計算するステップと、
前記１つ以上の指標を前記エネルギー消費者へ伝達するステップとを備える、方法。
【請求項１２】
前記需要応答実施プロフィールを判定するステップは、
１つ以上の基礎特性を識別することを含み、前記基礎特性は、
前記需要応答事象期間において１つ以上の時間の各々において前記構造が在室される可能性を示す在室可能性プロフィールと、
前記需要応答事象期間における前記エネルギー消費者の負荷移行に対する従順性と、
前記需要応答事象期間における前記構造の近辺をカバーする前記気候の予測とを含み、さらに、
事象前エネルギー管理プロフィール、需要応答事象エネルギー管理プロフィール、および事象後エネルギー管理プロフィールのうちの１つ以上を、前記１つ以上の基礎特性のうちの少なくとも１つに基づいて判定するステップを含む、請求項１１に記載の方法。
【請求項１３】
前記構造に関連付けらえた前記少なくとも１つ以上の物理的パラメータは、
前記ＨＶＡＣシステムによって熱的に管理される前記構造の容積に対する前記ＨＶＡＣシステムの冷房容量と、
前記構造の熱保持特性とを含む、請求項１１または１２に記載の方法。
【請求項１４】
移行される可能性の高いエネルギーの量を示す１つ以上の指標を計算するステップは、
前記需要応答事象期間にわたって前記事前に存在するＨＶＡＣスケジュールに従って前記ＨＶＡＣシステムが制御される場合に前記ＨＶＡＣシステムによって消費される可能性の高い第１のエネルギーの量を判定するステップと、
前記需要応答事象期間にわたって前記需要応答実施プロフィールに従って前記ＨＶＡＣシステムが制御される場合に前記ＨＶＡＣシステムによって消費される可能性の高い第２のエネルギーの量を判定するステップと、
前記第１のエネルギーの量と前記第２のエネルギーの量との差を計算するステップとを含む、請求項１１から１３のいずれか１項に記載の方法。
【請求項１５】
移行される可能性の高いエネルギーの量を示す１つ以上の指標を計算するステップは、
前記需要応答事象期間から他の期間へ移行される可能性の高いエネルギーの量を判定するステップと、
移行される可能性の高いエネルギーの量と前記需要応答事象期間における可能性の高い量ごとの金銭的価値とを掛け合わせるステップとを含む、請求項１１から１４のいずれか１項に記載の方法。
【請求項１６】
前記需要応答事象期間における可能性の高い量ごとの金銭的価値を掛け合わせるステップは、
前記需要応答事象期間における可能性の高い量ごとの金銭的価値を示す情報をユーティリティプロバイダーから受け取るステップ、
前記ＨＶＡＣシステムのエネルギー使用特性を判定するステップ、
エネルギーコストの履歴を判定するステップ、および
前記需要応答事象期間における可能性の高い量ごとの契約された金銭的価値を示す情報を受け取るステップのうちの１つ以上を含む、請求項１５に記載の方法。
【請求項１７】
前記変更されたＨＶＡＣスケジュールは、
前記変更されたＨＶＡＣスケジュールの前記設定温度のうちの１つ以上を定義する情報を前記エネルギー消費者から受け取るステップ、
アルゴリズムの学習を介して前記変更されたＨＶＡＣスケジュールの前記設定温度のうちの１つ以上を生成するステップ、
前記需要応答事象期間の前の期間にわたって分配された、外気温が前記需要応答事象期間における予測された外気温とほぼ同じである期間に対応する１つ以上の過去の設定温度を識別するステップ、
前記需要応答事象期間において前記構造が在室される可能性を示す、前記エネルギー消費者の在室可能性プロフィールを判定するステップ、および
前記エネルギー消費者に関連付けられた構造と同様の構造に関連付けられた１つ以上の他のエネルギー消費者から前記需要応答事象期間にわたって分配された１つ以上の設定温度を識別するステップのうちの１つ以上によって判定される、請求項１１から１６のいずれか１項に記載の方法。
【請求項１８】
ネットワーク接続サーモスタットのそれぞれの個体群によって制御される環境冷房システムを有する構造の個体群についての需要応答事象を実行するための方法であって、
需要応答プログラムに参加するように複数のエネルギー消費者を登録するステップを備え、各エネルギー消費者は、前記構造の個体群のうちの１つに関連付けられ、方法はさらに、
前記需要応答プログラムに含まれる後に起こる需要応答事象の少なくとも１つの属性を定義する需要応答事象プロフィールを判定するステップを備え、前記少なくとも１つの属性は、前記後に起こる需要応答事象が開始される時間、需要応答事象期間、および前記需要応答事象の大きさのうちの１つ以上を含み、方法はさらに、
前記複数の登録されたエネルギー消費者について、前記後に起こる需要応答事象への参加の適性を少なくとも部分的に表わす少なくとも１つの資格要因にアクセスするステップと、
前記後に起こる需要応答事象への参加が提示される前記複数の登録されたエネルギー消費者の部分集合を識別するステップとを備え、前記部分集合は、前記需要応答事象プロフィールと連動して前記資格要因を処理することによって識別され、方法はさらに、
前記次に起こる需要応答事象への参加の提示を前記登録されたエネルギー消費者の識別された部分集合の各々へ送信するステップを備える、方法。
【請求項１９】
前記資格要因は、
前記後に起こる需要応答事象に前記エネルギー消費者が参加することによるエネルギー移行の予測された量、
前記後に起こる需要応答事象時において前記エネルギー消費者に関連付けられた前記構造が在室される可能性を示す在室可能性プロフィール、
前記構造のリアルタイムの在室、
前記構造の熱保持特性、
前記冷房システムによって冷房される前記構造の容積に対する前記冷房システムの冷房容量、
前記エネルギー消費者の過去の挙動、
前記エネルギー消費者の現在の需要応答エネルギープログラム登録ステータス、
前記サーモスタットの無線通信能力、
天気予報データにアクセスする前記サーモスタットの能力、
前記サーモスタットの学習モード、
前記サーモスタットと前記構造との間の論理的ペアリング、
前記サーモスタットと前記エネルギー消費者に関連付けられたユーザーアカウントとの間の論理的ペアリング、および
前記需要応答事象への参加の提示を前記エネルギー消費者が受諾する可能性のうちの１つ以上を含む、請求項１８に記載の方法。
【請求項２０】
前記エネルギー消費者が前記需要応答事象に参加することによって前記需要応答事象期間から他の期間へ移行される可能性の高いエネルギーの量を示す１つ以上の指標を前記識別された部分集合における各エネルギー消費者について計算するステップをさらに備え、前記後に起こる需要応答事象への参加の要求を前記エネルギー消費者の識別された部分集合の各々に送信させるステップは、前記識別された部分集合における各エネルギー消費者について、前記エネルギー消費者に関連付けられた前記１つ以上の指標を前記エネルギー消費者に伝達することを含む、請求項１８または１９に記載の方法。
【請求項２１】
前記後に起こる需要応答事象への参加が提示される前記複数のエネルギー消費者の前記部分集合を識別するステップは、前記需要応答プログラムに参加するために登録された前記複数のエネルギー消費者から、エネルギーの所定の合計量を前記需要応答事象期間から他の期間へ移行する可能性の高い参加中のエネルギー消費者が最少数となる部分集合を選択するステップを含む、請求項１８から２０のいずれか１項に記載の方法。
【請求項２２】
前記エネルギー消費者の部分集合が前記後に起こる需要応答事象に参加することによって移行される可能性の高い予測された合計量を計算するステップと、
前記予測されたエネルギー移行の合計量と望ましいエネルギー移行の合計量とを比較するステップと、
前記予測されたエネルギー移行の合計量と望ましいエネルギー移行の合計量との比較の結果に基づいて前記エネルギー消費者の部分集合の大きさを変化させるステップとをさらに備える、請求項１８から２１のいずれか１項に記載の方法。
【請求項２３】
前記予測されたエネルギー移行の合計量を計算するステップは、前記後に起こる需要応答事象に参加する前記エネルギー消費者の識別された部分集合の予測された参加率を判定するステップと、前記識別されたエネルギー消費者の部分集合の前記予測された参加率に基づいて前記予測されたエネルギー移行の合計量を計算するステップとを含む、請求項２２に記載の方法。
【請求項２４】
前記需要応答プログラムに参加するために登録された前記複数のエネルギー消費者のうち、前記後に起こる需要応答事象への参加の前記要求は、前記識別されたエネルギー消費者の部分集合のみに伝達される、請求項１８から２３のいずれか１項に記載の方法。
【請求項２５】
知的ネットワーク接続サーモスタットであって、
構造に関連付けられたエネルギー消費者に情報を表示するとともに前記エネルギー消費者からのユーザー入力を受け取るためのユーザーインターフェイスと、
前記構造に関連付けられた冷房システムに前記サーモスタットを結合するためのコネクターと、
リモートサーバーと通信するための通信構成部分と、
需要応答事象の需要応答事象期間にわたって分配される複数の設定温度を定義する需要応答事象実施プロフィールを記憶するためのメモリと、
前記ユーザーインターフェイス、前記コネクター、前記通信構成部分、および前記メモリに結合されたプロセッサとを備え、前記プロセッサは、
前記需要応答事象期間にわたって前記需要応答事象実施プロフィールによって定義された前記設定温度に従って前記構造を冷房するよう前記冷房システムを制御し、
前記需要応答事象実施プロフィールによって定義された前記設定温度のうちの１つ以上を変更する要求を受け取り、
前記要求された変更が前記需要応答事象プロフィールに組み込まれた場合に得られるエネルギー移行の影響を判定し、
前記要求された変更が前記需要応答事象実施プロフィールに組み込まれた場合に得られるエネルギー移行に対する前記影響を示す情報を前記エネルギー消費者へ伝達するよう動作可能である、知的ネットワーク接続サーモスタット。
【請求項２６】
前記プロセッサはさらに、前記需要応答事象実施プロフィールに前記要求された変更が組み込まれた場合に前記要求された変更が前記エネルギー移行の量を増加もしくは減少させるかどうかを判定するよう動作可能である、請求項２５に記載の知的ネットワーク接続サーモスタット。
【請求項２７】
前記プロセッサはさらに、前記要求された変更によって前記エネルギー移行の量が増加するという判定に応答して、前記エネルギー消費者からのさらなる入力なくして前記需要応答事象実施プロフィールに前記要求された変更を組み込むよう動作可能である、請求項２６に記載の知的ネットワーク接続サーモスタット。
【請求項２８】
前記プロセッサはさらに、前記要求された変更によって前記エネルギー移行の量が減少するという判定に応答して、前記需要応答事象実施プロフィールに前記要求された変更を組み込む前に前記要求された変更の確認を前記ユーザーインターフェイスに要求させるよう動作可能である、請求項２６に記載の知的ネットワーク接続サーモスタット。
【請求項２９】
前記プロセッサはさらに、前記要求された変更によって前記エネルギー移行の量が減少するという判定に応答して、前記需要応答事象から前記エネルギー消費者の参加を抹消もしくは停止するよう動作可能である、請求項２６に記載の知的ネットワーク接続サーモスタット。
【請求項３０】
エネルギー移行の影響を示す前記情報は、金銭的価値およびエネルギーの量のうちの１つ以上を含む、請求項２５から２９のいずれか１項に記載の知的ネットワーク接続サーモスタット。
【請求項３１】
前記要求された変更は、前記需要応答事象期間の前に受け取られ、前記エネルギー移行への影響を示す情報は、前記需要応答事象期間前に前記エネルギー消費者に伝達される、請求項２５から３０のいずれか１項に記載の知的ネットワーク接続サーモスタット。
【請求項３２】
前記要求された変更は、前記需要応答事象期間中に受け取られ、前記エネルギー移行への影響を示す情報は、前記需要応答事象期間中に前記エネルギー消費者へ伝達される、請求項２５から３１のいずれか１項に記載の知的ネットワーク接続サーモスタット。
【請求項３３】
エネルギー消費者に関連付けられた知的ネットワーク接続サーモスタットであって、前記サーモスタットは、
前記知的ネットワーク接続サーモスタットの形状を定義し、１つ以上の構成部分を受け取るための空洞を含むハウジングと、
前記構造に関連付けられた冷房システムに前記サーモスタットを電気的に接続するための前記ハウジングに結合されたコネクターと、
リモートサーバーと通信するための通信構成部分と、
前記通信構成部分および前記コネクターに結合されるプロセッサとを備え、前記プロセッサは、
需要応答事象の需要応答事象期間にわたって需要応答事象実施プロフィールによって定義された複数の設定温度に従って前記サーモスタットに関連付けられた構造を冷房するよう前記冷房システムを制御し、
前記需要応答事象実施プロフィールの実施を除去する試みを示す干渉行為について前記冷房システムへの前記電気的接続を少なくとも監視し、
前記需要応答事象実施プロフィールを除去する試みを示す前記干渉行為が検知された場合に１つ以上の前記事象を行なうよう動作可能である、知的ネットワーク接続サーモスタット。
【請求項３４】
少なくとも前記冷房システムに対する電気的接続を監視するよう動作可能であることは、前記サーモスタットが前記冷房システムを制御するよう動作できないように前記冷房システムからの電気的切断を検知するよう動作可能であることを含む、請求項３３に記載の知的ネットワーク接続サーモスタット。
【請求項３５】
前記プロセッサはさらに、
前記エネルギー消費者に前記需要応答事象が通知される前もしくは後に疑わしい干渉行為が発生したかどうか、
冷房システムに変更があったかどうか、
前記サーモスタットの占有、前記サーモスタットの所有権、および／または前記サーモスタットが位置する構造に変更があったかどうか、および
前記需要応答事象実施プロフィールの予測された実施に従って前記構造内の環境条件が変化したかどうかのうちの１つ以上に基づいて干渉行為の可能性を判定するよう動作可能である、請求項３３または３４に記載の知的ネットワーク接続サーモスタット。
【請求項３６】
前記干渉行為の検知に対する応答は、
前記サーモスタットに干渉すると現在および未来の需要応答事象への参加から除外され得るという警告を前記エネルギー消費者に伝達すること、 
複数のサーモスタットについての需要応答事象を管理するリモートサーバーに対し、前記サーモスタットを識別するとともに前記サーモスタットが干渉されたことを示す通知を伝達すること、および
複数のサーモスタットについての需要応答事象を管理するリモートサーバーに対し、前記サーモスタットおよび前記サーモスタットが干渉された可能性を示す１つ以上の要因を識別する通知を伝達することのうちの１つ以上を含む、請求項３３から３５のいずれか１項に記載の知的ネットワーク接続サーモスタット。
【請求項３７】
前記コネクターは、
複数のワイヤーコネクターを含み、前記ワイヤーコネクターのうちの少なくとも１つは、前記冷房システムの冷房制御ワイヤーとの電気的接続を確立するように動作可能であり、前記コネクターはさらに、
前記冷房制御ワイヤーのための前記ワイヤーコネクターに関連付けられた二位置スイッチを含み、前記二位置スイッチは、ワイヤーが挿入されているかどうかに応じて閉状態もしくは開状態にあり、
前記プロセッサは、前記スイッチの前記開状態もしくは閉状態が最近変更されたかどうかを判定するために前記二位置スイッチを監視するよう動作可能であり、前記最近の変更は、前記需要応答事象実施プロフィールの実施を除去する試みを潜在的に示す、請求項３３から３６のいずれか１項に記載の知的ネットワーク接続サーモスタット。
【請求項３８】
請求項１から２４のいずれか１項に記載の方法をコンピュータに実行させるためのプログラム。